(57)【要約】【課題】ＰＲ１方式を採用した記録データ再生装置において、再生ヘッドをＭＲヘッドとしたときに発生するサーマルアスペリティを補償し、再生信号の信号品質を高めること。【解決手段】ヘッドからの再生信号をパーシャルレスポンス特性に等化する等化手段と、前記等化手段の出力に設けられたＡ／Ｄ変換器と、前記Ａ／Ｄ変換器の出力に備えられたサーマルアスペリティ検出手段を持ち、サーマルアスペリティが検出された時には、前記Ａ／Ｄ変換器からの出力を前記等化手段の異なる等化特性に変換する特性変換手段に導き、サーマルアスペリティ発生時に適した等化特性に切り替えることにより、サーマルアスペリティ時の再生性信号の信頼性を高める。【選択図】　　図１
2004133959.tif 000002
【特許請求の範囲】
【請求項１】
記録媒体から再生信号を再生する磁気抵抗効果ヘッドと、前記再生信号をパーシャルレスポンス特性に等化する信号等化手段と、前記信号等化手段の出力信号をディジタル信号に変換するアナログ／ディジタル変換手段と、前記アナログ／ディジタル変換手段の出力信号からサーマルアスペリティを検出するサーマルアスペリティ検出手段と、前記アナログ／ディジタル変換手段の出力信号から二値信号の検出を行う第一の信号検出手段と、上記アナログ／ディジタル変換手段の出力信号を、前記信号等化手段の特性とは異なるパーシャルレスポンス特性に変換する特性変換手段と、前記特性変換手段の出力信号から二値信号の検出を行う第二の信号検出手段と、前記第一の信号検出手段の出力信号と前記第二の信号検出手段の出力信号を選択する信号選択手段とを備え、上記サーマルアスペリティ検出手段が出力する検出信号に応じて前記選択手段の切替を行うことを特徴とするディジタルデータ再生装置。
【請求項２】
前記選択手段は、前記サーマルアスペリティ検出手段においてサーマルアスペリティが検出された時は前記第二の検出手段の出力信号を選択し、サーマルアスペリティが検出されない時は前記第一の検出手段の出力信号を選択することを特徴とする請求項１に記載のディジタルデータ再生装置。
【請求項３】
前記サーマルアスペリティ検出手段は二つの振幅基準レベルを持ち、前記アナログ／ディジタル変換手段の出力信号の振幅が前記振幅基準レベルの片方のレベルを越えた時にサーマルアスペリティとして検出することを特徴とした請求項１に記載のディジタルデータ再生装置。
【請求項４】
記録媒体から再生信号を再生する磁気抵抗効果ヘッドと、前記再生信号をパーシャルレスポンス特性に等化する信号等化手段と、前記信号等化手段の出力信号をディジタル信号に変換するアナログ／ディジタル変換手段と、前記アナログ／ディジタル変換手段の出力信号からサーマルアスペリティを検出する第一のサーマルアスペリティ検出手段と、前記アナログ／ディジタル変換手段の出力信号から二値信号の検出を行う第一の信号検出手段と、前記アナログ／ディジタル変換手段の出力信号を、前記信号等化手段の特性とは異なるパーシャルレスポンス特性に変換する特性変換手段と、前記特性変換手段の出力信号からサーマルアスペリティを検出して検出信号を出力する第二のサーマルアスペリティ検出手段と、前記特性変換手段の出力信号の低域遮断を行うハイパスフィルタと、前記特性変換手段の出力信号と前記ハイパスフィルタの出力信号を選択する第一の選択手段と、前記第一の選択手段の出力信号から二値信号の検出を行う第二の信号検出手段と、前記第一の信号検出手段の出力信号と前記第二の信号検出手段の出力信号を選択する第二の信号選択手段とを備え、前記第一のサーマルアスペリティ検出手段が出力する検出信号によって前記第二の選択手段の切替が行われ、前記第二のサーマルアスペリティ検出手段が出力する検出信号によって前記第一の選択手段の切替が行われることを特徴とするディジタルデータ再生装置。
【請求項５】
前記第一の選択手段は、前記第二のサーマルアスペリティ検出手段においてサーマルアスペリティが検出された時は前記ハイパスフィルタの出力信号を選択し、サーマルアスペリティが検出されない時は前記特性変換手段の出力信号を選択する、ことを特徴とする請求項４に記載のディジタルデータ再生装置。
【請求項６】
前記第二の選択手段は、前記第一のサーマルアスペリティ検出手段においてサーマルアスペリティが検出された時は前記第二の検出手段の出力信号を選択し、サーマルアスペリティが検出されない時は前記第一の検出手段の出力信号を選択する、ことを特徴とする請求項４に記載のディジタルデータ再生装置。
【請求項７】
前記信号等化手段は、前記磁気抵抗効果ヘッドの出力信号をパーシャルレスポンスクラス１特性に等化し、前記特性変換手段は前記アナログ／ディジタル変換手段の出力信号を低域減衰型のパーシャルレスポンス特性に変換することを特徴とする請求項１または請求項３に記載のディジタルデータ再生装置。
【請求項８】
前記第一のサーマルアスペリティ検出手段及び前記第二のサーマルアスペリティ検出手段は二つの振幅基準レベルによる囲われた基準領域を持ち、前記アナログ／ディジタル変換手段の出力信号の振幅が前記基準領域から外れるとサーマルアスペリティとして判断することを特徴とした請求項４に記載のディジタルデータ再生装置。
【発明の詳細な説明】
【０００１】
【発明の属する技術分野】
本発明は、再生ヘッドに磁気抵抗効果ヘッドを用いた磁気テープ装置に適用し、記録データの再生を行うディジタルデータ再生装置（国際特許分類Ｇ１１Ｂ２０／１０）に関するものである。
【０００２】
【従来の技術】
従来の磁気テープ装置では、図８に示すようなディジタルデータ再生装置がある。図８において、再生ヘッド８１が読み出したアナログ再生信号を、積分器８２とアナログ等化器８３を用いてパーシャルレスポンスクラス１（Ｐａｒｔｉａｌ　Ｒｅｓｐｏｎｓｅ　Ｃｌａｓｓ１、以下ＰＲ１と略す）特性に等化を行う。ＰＲ１特性に等化された再生信号はアナログ／ディジタル変換器（以下、Ａ／Ｄと略す）８４とクロック制御手段８５によって同期サンプリングが行われ、再生信号に同期したディジタル信号に変換される。Ａ／Ｄ８４の出力するディジタル信号は、ディジタル等化器８６で適応等化された後、ＰＲ１特性に特化した検出器８７を用いて二値信号の検出が行われる。
【０００３】
一方、情報記録再生装置は大容量化が求められており、ハードディスク装置では再生ヘッドに磁気抵抗効果（Ｍａｇｎｅｔｏ−Ｒｅｓｉｓｔｉｖｅ、以下ＭＲと略す）素子を用いたＭＲヘッドを採用し高記録密度化を実現している。磁気テープ装置においても大容量化のために高記録密度化が要求されており、それを実現するためにＭＲヘッドを採用することは、大変有効な方法である。
【０００４】
しかしながら、ＭＲヘッドには、特有の課題がある。それは、ヘッドと媒体上の突起物が衝突して発生するサーマルアスペリティ（Ｔｈｅｒｍａｌ　Ａｓｐｅｒｉｔｙ、以下ＴＡと略す）である。ＴＡは、衝突によりＭＲヘッドに急激な温度上昇に伴う抵抗値の大きな変動が起こり、そのため再生信号の直流成分に変動が生じると言うものである。ＴＡによる直流成分の変動は周波数では低域に分布する。そこでハードディスク装置では、ＨＰＦを用いた低域遮断を行ってＴＡによる直流成分の変動を除去し、再生エラーを防ぐＴＡ補償手段が用いられている（例えば特許文献１参照）。
【０００５】
【特許文献１】
特開平１０−９７７０２号公報（第４−５頁、第１図）
【０００６】
【発明が解決しようとしている課題】
しかしながら、図８に示すような磁気テープ装置では、ＰＲ１特性を用いた再生信号処理を行っており、アナログ等化器８３の出力信号は図９に示す周波数特性を有する。これは、ハードディスク装置の等化特性である低域減衰型のパーシャルレスポンス方式とは、大きく異なる。従って、特許文献１のＴＡ補償手段では、信号処理に必要な低域成分を遮断するため、信号再生特性を悪化させてしまい、ＴＡ補償が出来ない。
【０００７】
本発明は上記の問題を解決するためになされたものであり、ＰＲ１特性を用いた再生信号処理系において、信号再生特性を悪化させることなくＭＲヘッドのＴＡ補償を行うディジタルデータ再生装置を提供することを目的とする。
【０００８】
【課題を解決するための手段】
前記従来の課題を解決するために、本願発明は、磁気テープから読み出した再生信号をＰＲ１特性で等化した後、アナログ／デジタル変換を行い、その出力からＴＡを検出するサーマルアスペリティ検出手段を備える。このサーマルアスペリティ検出手段により、ＴＡが生じている際はＰＲ１特性とは異なる等化特性に切り替えることにより、ＴＡ時においても良好な信号再生を実現できる。
【０００９】
【発明の実施の形態】
請求項１に記載の発明は、記録媒体から再生信号を再生する磁気抵抗効果ヘッドと、前記再生信号をパーシャルレスポンス特性に等化する信号等化手段と、前記信号等化手段の出力信号をディジタル信号に変換するアナログ／ディジタル変換手段と、前記アナログ／ディジタル変換手段の出力信号からサーマルアスペリティを検出するサーマルアスペリティ検出手段と、前記アナログ／ディジタル変換手段の出力信号から二値信号の検出を行う第一の信号検出手段と、上記アナログ／ディジタル変換手段の出力信号を、前記信号等化手段の特性とは異なるパーシャルレスポンス特性に変換する特性変換手段と、前記特性変換手段の出力信号から二値信号の検出を行う第二の信号検出手段と、前記第一の信号検出手段の出力信号と前記第二の信号検出手段の出力信号を選択する信号選択手段とを備え、上記サーマルアスペリティ検出手段が出力する検出信号に応じて前記選択手段の切替を行うことを特徴とするディジタルデータ再生装置であり、サーマルアスペリティが生じた場合は等化特性を切り替えるため、信号再生時のエラーを低減することが出来る。
【００１０】
請求項２に記載の発明は、前記選択手段は、前記サーマルアスペリティ検出手段においてサーマルアスペリティが検出された時は前記第二の検出手段の出力信号を選択し、サーマルアスペリティが検出されない時は前記第一の検出手段の出力信号を選択することを特徴とする請求項１に記載のディジタルデータ再生装置であり、サーマルアスペリティの有無により信号検出手段を切り替えることが出来る。
【００１１】
請求項３に記載の発明は、前記サーマルアスペリティ検出手段は二つの振幅基準レベルを持ち、前記アナログ／ディジタル変換手段の出力信号の振幅が前記振幅基準レベルの片方のレベルを越えた時にサーマルアスペリティとして検出することを特徴とした請求項１に記載のディジタルデータ再生装置であり、サーマルアスペリティの誤検出を防ぐことが出来る。
【００１２】
請求項４に記載の発明は、記録媒体から再生信号を再生する磁気抵抗効果ヘッドと、前記再生信号をパーシャルレスポンス特性に等化する信号等化手段と、前記信号等化手段の出力信号をディジタル信号に変換するアナログ／ディジタル変換手段と、前記アナログ／ディジタル変換手段の出力信号からサーマルアスペリティを検出する第一のサーマルアスペリティ検出手段と、前記アナログ／ディジタル変換手段の出力信号から二値信号の検出を行う第一の信号検出手段と、前記アナログ／ディジタル変換手段の出力信号を、前記信号等化手段の特性とは異なるパーシャルレスポンス特性に変換する特性変換手段と、前記特性変換手段の出力信号からサーマルアスペリティを検出して検出信号を出力する第二のサーマルアスペリティ検出手段と、前記特性変換手段の出力信号の低域遮断を行うハイパスフィルタと、前記特性変換手段の出力信号と前記ハイパスフィルタの出力信号を選択する第一の選択手段と、前記第一の選択手段の出力信号から二値信号の検出を行う第二の信号検出手段と、前記第一の信号検出手段の出力信号と前記第二の信号検出手段の出力信号を選択する第二の信号選択手段とを備え、前記第一のサーマルアスペリティ検出手段が出力する検出信号によって前記第二の選択手段の切替が行われ、前記第二のサーマルアスペリティ検出手段が出力する検出信号によって前記第一の選択手段の切替が行われることを特徴とするディジタルデータ再生装置であり、第一のサーマルアスペリティ検出手段により低域で発生するサーマルアスペリティを検出し、さらに第二のサーマルアスペリティ検出手段により高域で発生するサーマルアスペリティを検出することが出来るので、低域から高域までのサーマルアスペリティに応じて、適切な等化特性を得ることが出来る。
【００１３】
請求項５に記載の発明は、前記第一の選択手段は、前記第二のサーマルアスペリティ検出手段においてサーマルアスペリティが検出された時は前記ハイパスフィルタの出力信号を選択し、サーマルアスペリティが検出されない時は前記特性変換手段の出力信号を選択する、ことを特徴とする請求項４に記載のディジタルデータ再生装置であり、サーマルアスペリティの有無により、低域遮断の選択を行うことが出来る。
【００１４】
請求項６に記載の発明は、前記第二の選択手段は、前記第一のサーマルアスペリティ検出手段においてサーマルアスペリティが検出された時は前記第二の検出手段の出力信号を選択し、サーマルアスペリティが検出されない時は前記第一の検出手段の出力信号を選択する、ことを特徴とする請求項４に記載のディジタルデータ再生装置であり、サーマルアスペリティの有無により、信号検出手段を切り替えることが出来る。
【００１５】
請求項７に記載の発明は、前記信号等化手段は、前記磁気抵抗効果ヘッドの出力信号をパーシャルレスポンスクラス１特性に等化し、前記特性変換手段は前記アナログ／ディジタル変換手段の出力信号を低域減衰型のパーシャルレスポンス特性に変換することを特徴とする請求項１または請求項３に記載のディジタルデータ再生装置であり、特性の異なる二つのパーシャルレスポンス特性を実現することが出来る。
【００１６】
請求項８に記載の発明は、前記第一のサーマルアスペリティ検出手段及び前記第二のサーマルアスペリティ検出手段は二つの振幅基準レベルによる囲われた基準領域を持ち、前記アナログ／ディジタル変換手段の出力信号の振幅が前記基準領域から外れるとサーマルアスペリティとして判断することを特徴とした請求項４に記載のディジタルデータ再生装置であり、サーマルアスペリティの誤検出を防ぐことが出来る。
【００１７】
（実施の形態１）
以下に、本発明の請求項１と請求項２と請求項３と請求項７に対応する発明の実施の形態１について、図１と図３から図７を参照して説明する。図１は、本実施の形態１によるディジタルデータ再生装置の構成を示すブロック図である。
【００１８】
図１において、本実施の形態１によるディジタルデータ再生装置は、再生ヘッド１と、積分器２と、アナログ等化器３と、アナログ／ディジタル変換器（以下、Ａ／Ｄと略す）４と、クロック制御手段５と、サーマルアスペリティ（以下、ＴＡと略す）検出器６と、ディジタル等化器７と、検出器８と、パーシャルレスポンス方式変換器（以下、ＰＲ方式変換器と略す）９と、検出器１０と、セレクタ１１とを備えたものである。
【００１９】
再生ヘッド１は、磁気抵抗効果（Ｍａｇｎｅｔｏ−Ｒｅｓｉｓｔｉｖｅ、以下ＭＲと略す）素子を用いたＭＲヘッドであり、記録媒体（図示しない）からアナログ再生信号を読み出し、積分器２に出力する。
【００２０】
積分器２はアナログ再生信号の積分を行い、アナログ等化器３に出力する。
【００２１】
アナログ等化器３は、例えば等リプルフィルタで実現されるローパスフィルタであり、積分器２が出力する信号をパーシャルレスポンスクラス１（Ｐａｒｔｉａｌ　Ｒｅｓｐｏｎｓｅ　Ｃｌａｓｓ１、以下ＰＲ１と略す）特性に等化し、Ａ／Ｄ４に出力する。
【００２２】
Ａ／Ｄ４は、クロック制御手段５が出力する再生クロックによってアナログ等化器３が出力する信号のサンプリングを行いディジタル信号に変換して、クロック制御手段５とＴＡ検出器６とディジタル等化器７に出力する。
【００２３】
クロック制御手段５は、Ａ／Ｄ４の出力するディジタル信号からタイミングリカバリを行い、Ａ／Ｄ４のサンプリングクロック及びディジタル回路の動作クロックとなる再生クロックを出力する。
【００２４】
ＴＡ検出器６は、Ａ／Ｄ４が出力するディジタル信号からＴＡを検出し、セレクタ１１の制御信号を出力する。
【００２５】
ここで、ＴＡ検出器６の一構成例を図３を用いて詳細に説明する。
【００２６】
図３において、比較器３１は入力信号振幅と正側のしきい値とを比較し入力信号振幅が正側のしきい値よりも大きい場合に”１”を出力する。比較器３２は入力信号振幅と負側のしきい値とを比較し入力信号振幅が負側のしきい値よりも小さい場合に”１”を出力する。比較器３１と比較器３２の出力信号は排他的論理和素子３３に入力され、どちらか一方が”１”の場合に切替制御３４に”１”が入力される。このような構成にすると、振幅変動により再生信号の振幅が大きくなり正側と負側両方のしきい値を超えた場合は、比較器３１と比較器３２両方が”１”を出力するために切替制御３４には”０”が入力されＴＡとして検出されず、直流成分の変動によって正側か負側のどちらかのしきい値を越えた場合にのみ切替制御３４に”１”が入力されＴＡとして検出される。このようにして、振幅変動によるＴＡの誤検出を防ぐことが出来る。切替制御３４は、排他的論理和素子３３の出力信号の立ち上がりと立ち下がりを任意に遅延させて制御信号として出力する。
【００２７】
ディジタル等化器７は自動適応等化を行うものであり、ＦＩＲフィルタと、そのタップ係数を例えばＬＭＳ（Ｌｅａｓｔ　Ｍｅａｎ　Ｓｑｕａｒｅｄ）アルゴリズムによって制御する係数制御回路（いずれも図示しない）で構成され、等化されたディジタル信号を出力する。
【００２８】
検出器８は、例えばビタビアルゴリズムのようにＰＲ１特性に特化した検出アルゴリズムによってディジタル信号から二値信号を検出し、セレクタ１１に出力する。
【００２９】
ＰＲ方式変換器９は、ディジタル等化器９が出力するディジタル信号を拡張パーシャルレスポンスクラス４（Ｅｘｔｅｎｄｅｄ　Ｐａｒｔｉａｌ　Ｒｅｓｐｏｎｓｅ　Ｃｌａｓｓ４、以下ＥＰＲ４と略す）特性に変換して検出器１０に出力する。ＰＲ方式変換器９は図４に示すように、再生クロック１クロック分の遅延素子４１と加算器４２を用いたディジタルフィルタで構成されており、ＰＲ１特性の再生信号を入力した場合の出力は次式で表されるＥＰＲ４特性となり、
【００３０】
【式１】
2004133959.tif 000003
【００３１】
その周波数特性は図５に示すようになる。この時、ＰＲ方式変換器９の特性は次式で表され、
【００３２】
【式２】
2004133959.tif 000004
【００３３】
その周波数特性は図６に示すように高域と低域を減衰したものとなる。即ち、ＰＲ方式変換器９は低域に分布するＴＡを抑制すると同時に低域の信号分布が少ない低域減衰型のＰＲ特性に変換するものである。
【００３４】
検出器１０は、例えばビタビアルゴリズムのようにＥＰＲ４特性に特化した検出アルゴリズムによってディジタル信号から二値信号を検出し、セレクタ１１に出力する。
【００３５】
セレクタ１１は、ＴＡ検出器６が出力する制御信号により、検出器８と検出器１０の出力する二値信号のどちらかを選択し出力する。
【００３６】
以上のように構成されたディジタルデータ再生装置の動作について説明する。
【００３７】
まず再生ヘッド１が読み出すアナログ再生信号を、積分器２とアナログ等化器３によってＰＲ１特性に等化する。次にＡ／Ｄ４とクロック制御手段５によって同期サンプリングし、ディジタル等化器７によって適応等化を施して補正を行う。そしてディジタル等化器７の出力信号からＰＲ１特性に特化した検出器８を用いて二値信号の検出を行う。また、ディジタル等化器７の出力信号を、ＰＲ方式変換器９によってＰＲ１特性からＥＰＲ４特性に変換した後、ＥＰＲ４特性に特化した検出器１０を用いて二値信号の検出を行う。最後にＴＡ検出器６が出力する制御信号によって、検出器８あるいは検出器１０の出力する二値信号のどちらかをセレクタ１１で選択し、後段の信号処理に出力する。
【００３８】
アナログ再生信号にＴＡがない場合は、セレクタ１１は検出器８の出力する二値データを選択し出力する。ＴＡがある場合は、ＴＡ検出器６がＴＡを検出している間はセレクタ１１は検出器１０が出力する二値信号を選択して出力する。例えば、再生ヘッド１が読み出したアナログ再生信号にＴＡがあり、Ａ／Ｄ４の出力が図７（ａ）に示すような場合、ＴＡ検出器６は図７（ｂ）に示すようにセレクタ１１の制御信号を出力し、制御信号が”０”の時セレクタ１１は検出器８が出力する二値信号を、制御信号が”１”の時セレクタ１１は検出器１０が出力する二値信号を選択して出力する。
【００３９】
以上のように、本実施の形態１によるディジタルデータ再生装置によれば、ＴＡを検出した時に低域減衰型のＰＲ方式を用いてデータ再生を行うため、信号再生特性を悪化させることなく、ＭＲヘッドのＴＡ補償を行うことが可能となる。
【００４０】
（実施の形態２）
以下に、本発明の請求項４と請求項５と請求項６と請求項７と請求項８に対応する発明の実施の形態２について、図２を参照して説明する。
【００４１】
上記実施の形態１によるディジタルデータ再生装置の構成との違いは、ＨＰＦ１２とＴＡ検出器１３とセレクタ１４を追加した点である。
【００４２】
図２は、本実施の形態２によるディジタルデータ再生装置の構成を示すブロック図である。なお、図２において、図１と同一または相当する構成要素は同じ符号を付加し、説明を省略する。
【００４３】
図２において、本実施の形態２によるディジタルデータ再生装置は、再生ヘッド１と、積分器２と、アナログ等化器３と、Ａ／Ｄ４と、クロック制御手段５と、ＴＡ検出器６と、ディジタル等化器７と、検出器８と、ＰＲ方式変換器９と、検出器１０と、セレクタ１１と、ＨＰＦ１２と、ＴＡ検出器１３と、セレクタ１４とを備えたものである。
【００４４】
ＨＰＦ１２はディジタルフィルタで構成され、そのタップ係数を例えばシステムコントローラ等から与えることで、カットオフ周波数を変更可能なハイパスフィルタである。
【００４５】
ＴＡ検出器１３は、ＰＲ方式変換器９の出力信号からＴＡの検出を行い、セレクタ１４の制御信号を出力するものであり、構成はＴＡ検出器６と同じである。
【００４６】
セレクタ１４は、ＴＡ検出器１３の出力する制御信号に従ってＰＲ方式変換器９の出力信号かＨＰＦ１２の出力信号のどちらかを選択し、検出器１０に出力する。
【００４７】
以上のように構成されたディジタルデータ再生装置の動作について説明する。
【００４８】
ＰＲ方式変換器９の出力信号はＨＰＦ１２とＴＡ検出器１３とセレクタ１４に入力され、ＴＡ検出器１３においてＴＡが検出されると、セレクタ１４はＨＰＦ１２の出力信号を選択して検出器１０に出力する。ＴＡ検出器１３においてＴＡが検出されない場合は、セレクタ１４はＰＲ方式変換器９の出力信号を選択して検出器１０に出力する。即ち、アナログ再生信号のＴＡがＰＲ方式の変換によって解消された場合にはＰＲ方式変換器９の出力信号をそのまま検出器１０に入力し、解消されない場合にはさらに低域遮断を施してＴＡを抑制したＨＰＦ１２の出力信号を検出器１０に入力して、二値信号の検出を行うものである。
【００４９】
以上のように、本実施の形態２によるディジタルデータ再生装置によれば、低域減衰型のＰＲ方式に切り替えてもＴＡによる直流成分変動を除去しきれない場合に、さらに低域遮断を施すことによりＴＡを抑制し、再生エラーを防ぐことが可能となる。
【００５０】
なお、以上の実施の形態ではＰＲ方式変換器９によってＥＰＲ４特性に変換を行ったが、例えばパーシャルレスポンスクラス４（ＰＲ４）など他の低域減衰型のＰＲ方式に変換しても実現可能である。
【００５１】
【発明の効果】
以上のように、本発明のディジタルデータ再生装置によれば、低域減衰型のＰＲ方式に変換して二値信号を検出する系を設け、再生信号にＴＡが存在する場合には出力を切り替えるようにしたので、ＰＲ１方式の信号処理系においても、再生信号特性を悪化させることなくＴＡ補償を行うことが出来る。
【図面の簡単な説明】
【図１】本発明の実施の形態１によるディジタルデータ再生装置の構成を示すブロック図
【図２】本発明の実施の形態２によるディジタルデータ再生装置の構成を示すブロック図
【図３】サーマルアスペリティ検出器の構成を示すブロック図
【図４】パーシャルレスポンス方式変換器の構成を示すブロック図
【図５】パーシャルレスポンスクラス４の周波数特性を示す図
【図６】パーシャルレスポンス方式変換器の周波数応答を示す図
【図７】サーマルアスペリティのあるアナログ／ディジタル変換器の出力信号とサーマルアスペリティ検出器における検出結果を示す図
【図８】従来のディジタルデータ再生装置の構成例を示すブロック図
【図９】パーシャルレスポンスクラス１の周波数特性を示す図
【符号の説明】
１　再生ヘッド
２　積分器
３　アナログ等化器
４　アナログ／ディジタル変換器
５　クロック制御手段
６　サーマルアスペリティ検出器
７　ディジタル等化器
８　検出器
９　パーシャルレスポンス方式変換器
１０　検出器
１１　セレクタ
１２　ハイパスフィルタ
１３　サーマルアスペリティ検出器
１４　セレクタ
３１　比較器
３２　比較器
３３　排他的論理和素子
３４　切替制御
４１　遅延素子
４２　加算器
８１　再生ヘッド
８２　積分器
８３　アナログ等化器
８４　アナログ／ディジタル変換器
８５　クロック制御手段
８６　ディジタル等化器
８７　検出器
【図１】
2004133959.tif 000005
【図２】
2004133959.tif 000006
【図３】
2004133959.tif 000007
【図４】
2004133959.tif 000008
【図５】
2004133959.tif 000009
【図６】
2004133959.tif 000010
【図７】
2004133959.tif 000011
【図８】
2004133959.tif 000012
【図９】
2004133959.tif 000013